(57)【特許請求の範囲】
【請求項１】
軸筒内に、筆記体を弾発部材によって後方に付勢して収納し、前記軸筒の後端部に、一体に形成したヒンジ部又は軸筒に付設したクリップに形成したヒンジ部に、蓋体の一端部に設けた嵌合部を嵌合し、前記蓋体を前記軸筒に対し回動自在に配設し、且つ前記蓋体の他端部に設けた係合部を、前記軸筒の後端部に形成した被係合部に、着脱自在に係合して、前記軸筒の後端を露出及び閉鎖可能とした筆記具であって、前記蓋体が、蓋部と、該蓋部に径方向に移動可能、且つ前記蓋部の外面より径方向外方に突出する押釦部と、前記蓋部内に配設し、常時、前記押釦部を径方向外方に向かって付勢する弾発体と、を具備し、前記係合部を前記押釦部に設けるとともに、前記押釦部を、前記弾発体の付勢力に抗して外部からの径方向内方に押圧することによって、前記押釦部及び前記係合部を径方向内方に移動することで、前記係合部と前記被係合部との係合が解除されることを特徴とする筆記具。
【請求項２】
前記蓋部の係合部と前記軸筒の被係合部が係合した状態で、前記蓋部が、前記弾発部材により後方に付勢された筆記体により直接、又は筆記体に装着した操作体によって、前記軸筒の後方側に押圧されることを特徴とする請求項１に記載の筆記具。
【請求項３】
前記押釦部が、ヒンジ部と軸筒本体の軸線に対して対称側となる位置に形成するとともに、前記蓋部の係合部及び前記軸筒の被係合部が、前記軸筒の軸線に対し、前記押釦部の反対側に位置することを特徴とする請求項１または２に記載の筆記具。
【発明の詳細な説明】
【技術分野】
【０００１】
本発明は、軸筒の後端部に、軸筒の後端を露出及び閉鎖する蓋体を具備してなる筆記具に関する。
【背景技術】
【０００２】
軸筒の後端部に、軸筒の後端を露出及び閉鎖する蓋体を具備してなる筆記具において、特開２００７−３８６３５号公報「多芯筆記具」では、軸筒の後端に、摺動溝を後方に開口させる開口部を設け、前記開口部から、前記摺動体を、軸筒内から取り外し可能及び軸筒内に挿入可能に、蓋体を軸筒に設けたヒンジ部に、回動自在に装着した構成が開示されている。
【先行技術文献】
【特許文献】
【０００３】
【特許文献１】特開２００７−３８６３５号公報
【特許文献２】特開２０１０−１０５２１２号公報
【発明の開示】
【発明が解決しようとする課題】
【０００４】
ところで、蓋体は、軸筒の外面又は軸筒に付設したクリップに形成した被係合部に、前記蓋体の一端部に設けた係合部を係合し、前記蓋体を前記軸筒に対し回動自在に配設するなど、形状が複雑となる問題があった。また、前記特許文献１の多芯筆記具は、蓋体の係合部と軸筒の被係合部との係合を解除する際、指の爪を蓋体の端部に引っ掛けて蓋体を後方に押圧するものである。しかし、前記特許文献１の多芯筆記具は、指の爪の短い人の場合、蓋体の端部に爪を引っ掛けることができないため、蓋体の係合部と軸筒の被係合部との係合を容易に解除することができず、開口部を開口させることが困難となる。
【０００５】
また、前記特許文献１の多芯筆記具は、蓋体の係合部と軸筒の被係合部との係合を解除する際、通常、両手を用いる。即ち、一方の手に軸筒を持ち且つ他方の手の指先の爪を蓋部に引っ掛けて操作する。そのため、一方の手が塞がっている場合などに、片手だけで、蓋体の係合部と軸筒の被係合部との係合を解除することは困難であった。
【０００６】
こうした問題を鑑みて、特許文献２の特開２０１０−１０５２１２号「多芯筆記具」においては、被係合部を外部からの押圧によって径方向内方に弾性変形可能に構成し、前記被係合部を径方向内方に弾性変形させた際、前記係合部と前記被係合部との係合が解除されるとともに、前記弾発体により後方に付勢された筆記体によって、前記蓋部が後方に押圧され前記開口部が開口される多芯筆記具が開示されている。
【０００７】
しかしながら、特許文献２においては、弾性変形によって、前記蓋体の係合部と前記軸筒の被係合部との係合が解除しているため、繰り返しの係脱や経時によって、係合力が低下する恐れがあるともに、係合を解除してから、弾性変形から元の状態に戻るまで、再度、係合を行うことができない問題があった。
【０００８】
本発明の目的は、前記従来の問題点を解決するものであって、繰り返しの蓋体の開閉や経時においても、前記蓋体の係合部と前記軸筒の被係合部の係合力が低下し難く、且つ、確実に蓋体の開閉が可能な、蓋体を具備した筆記具を提供しようとするものである。
【課題を解決するための手段】
【０００９】
上記目的を達成するために、本発明は、第１に、軸筒内に、筆記体を弾発部材によって後方に付勢して収納し、前記軸筒の後端部に、一体に形成したヒンジ部又は軸筒に付設したクリップに形成したヒンジ部に、蓋体の一端部に設けた嵌合部を嵌合し、前記蓋体を前記軸筒に対し回動自在に配設し、且つ前記蓋体の他端部に設けた係合部を、前記軸筒の後端部に形成した被係合部に、着脱自在に係合して、前記軸筒の後端を露出及び閉鎖可能とした筆記具であって、前記蓋体が、蓋部と、該蓋部に径方向に移動可能、且つ前記蓋部の外面より径方向外方に突出する押釦部と、前記蓋部内に配設し、常時、前記押釦部を径方向外方に向かって付勢する弾発体と、を具備し、前記係合部を前記押釦部に設けるとともに、前記押釦部を、前記弾発体の付勢力に抗して外部からの径方向内方に押圧することによって、前記押釦部及び前記係合部を径方向内方に移動することで、前記係合部と前記被係合部との係合が解除されることを特徴とする。
尚、本発明において、「前」とはペン先側を示し、「後」とはその反対側を示す。
【００１０】
前記第１の構成によれば、前記押釦部は、前記蓋体内に配設した弾発体によって、常時、前記押釦部が蓋体の外面より突出する径方向外方に向かって付勢されているため、蓋体の係合部と軸筒の被係合部とを繰り返しの係合、解除を行っても、蓋体の係合部と軸筒の被係合部の係合力が低下する恐れがない。また、指の爪の短い人でも、あるいは片手だけでも、容易に、蓋部の係合部と軸筒の被係合部との係合を解除させることができる。
【００１１】
また、前記押釦部は、弾発体により径方向外方（押釦部が蓋体の外面より突出する方向）に向かって常時、付勢されているため、押釦部への押圧力を解除することで、瞬時に、且つ確実に元の位置に復帰する。その結果、仮に係合、解除を瞬時に行っても確実に係合することができる効果を奏する。
【００１２】
また第２に、前記蓋部の係合部と前記軸筒の被係合部が係合した状態で、前記蓋部が、前記弾発部材により後方に付勢された筆記体により直接、又は筆記体に装着した操作体によって、前記軸筒の後方側に押圧されることを特徴とする。
【００１３】
前記第２の構成によれば、前記蓋部の係合部と前記軸筒の被係合部が係合した状態で、前記蓋部が、前記弾発部材により後方に付勢された筆記体により直接、又は筆記体に装着した操作体によって、前記軸筒の後方側に押圧されているため、蓋体の係合部と軸筒の被係合部とを係合を解除すると、蓋体は、筆記体を付勢する弾発力によって、回動し、蓋体を開口しやすくすることができる。
【００１４】
また第３に、前記押釦部が、ヒンジ部と軸筒本体の軸線に対して対称側となる位置に形成するとともに、前記前記蓋部の係合部及び前記軸筒の被係合部が、前記軸筒の軸線に対し、前記押釦部の反対側（ヒンジ部側）に位置することを特徴とする。
【００１５】
前記第３の構成によれば、前記蓋部の係合部及び前記軸筒の被係合部が、前記軸筒の軸線に対し、前記押釦部の反対側に位置することで、蓋体を開閉しやすく、且つ不慮による開口を抑制することができる。これは、押釦部によって、蓋体と軸筒との係合を解除し、且つ蓋体を回動することを考慮すると、ヒンジ部と軸筒本体の軸線に対して対称側となる位置に形成することが、蓋体を開閉し易く最も好ましいためである。また、蓋体は、ヒンジ部を支点として回動するため、蓋部の係合部及び前記軸筒の被係合部が、前記軸筒の軸線に対し、前記押釦部の反対側（ヒンジ部側）に位置することで、移動時などの衝撃に誤って押釦部を押圧力が加わり、当該衝撃によって蓋体が少し回動を開始しても、同形の係合部及び被係合部を押釦部側に設ける場合に比べ、係合が解除するための回動角度が大きいためである。
【００１６】
尚、本発明の蓋体、特に蓋部や押釦部には、ＰＰ樹脂、ＰＯＭ樹脂、ＰＣ樹脂、ＡＢＳ樹脂等の合成樹脂材料等を用いることができる。特に蓋部や押釦部には、乗り越し係合性を鑑みて、ＰＯＭ樹脂やＰＰ樹脂等の比較的、低硬度の樹脂材料とすることが最も好ましい。また、押釦部を付勢する弾発体には、コイルスプリング、板バネ、ゴムやエラストマー等の軟質弾性体などが挙げられるが、繰り返し性を考慮すると、コイルスプリングを用いることが最も好ましい。
【発明の効果】
【００１７】
本発明は、繰り返しの蓋体の開閉や経時においても、前記蓋体の係合部と前記軸筒の被係合部の係合力が低下し難く、且つ、確実に蓋体の開閉が可能な、蓋体を具備した筆記具を提供することができた。
【図面の簡単な説明】
【００１８】
【図１】実施例１の筆記具の一部省略した縦断面図である。
【図２】実施例１における蓋体を開いた状態を示す図である。
【図３】図１における要部拡大断面図である。
【図４】図３における押釦部を押圧した状態を示す図である。
【図５】図３における蓋体を開いた状態を示す図である。
【図６】実施例１の筆記具の外観図である。
【図７】図６の蓋体を開いた状態を示す図である。
【図８】実施例１の筆記体を示す図である。
【発明を実施するための最良の形態】
【００１９】
次に図面を参照しながら、本発明の筆記具の実施形態を説明するが、本発明は以下の実施形態に限定されるものではない。
【００２０】
実施例１
図１〜図８に示す実施例１の筆記具１は、前軸２と後軸３を螺合により取り付けられる軸筒本体内に複数本（４本）の筆記体が前後方向に移動可能に収容されている。筆記体１４の後部には、筆記体１４のインキ収容筒１５に収容した筆記具用インキと同色の摺動体９を配設してあり、筆記体１４は、弾発部材であるコイルスプリング１２により後方に付勢してあり、他の筆記体について詳細は図示していないが、筆記体１４と同様にして、３本の筆記体を配設した従来から知られている出没機構のスライド式の多芯筆記具である。
【００２１】
筆記体１４は、ボールペンレフィルであり、インキ収容筒１５の先端部にボールが回転可能に抱持されたペン先部１６を装着し、インキ収容筒１５の内部には、図示はしていないが、黒色の剪断減粘性を有する水性ゲルインキ及びインキ追従体を直に収容してある。他の３本の筆記体も筆記体１４と同様に、インキ収容筒の先端部にボールペンチップからなるペン先部を装着し、筆記体１４とは色の異なる水性ゲルインキ及びインキ追従体を直に収容したボールペンレフィルである。
【００２２】
後軸３の後部には、前後方向に延びる細長状の摺動溝３Ｂ、３Ｃ等が４本、形成してあり、互いに、９０度間隔に形成される。また、摺動溝３Ｂ、３Ｃは、後方が開口していて、後軸３の後端３Ａで連通する開口部（図示せず）を有している。
【００２３】
後軸３内には、略円筒状のスプリング支持部８を固着している。スプリング支持部８は、筆記体１４等、４本の筆記体が挿通される内孔が軸方向に貫設し、スプリング支持部８と、各々の摺動体９、１０間には、コイルスプリング１２、１３が配置し、筆記体及び摺動体を後方に付勢するとともに、摺動体１４は、蓋体５に当接して後方への移動を規制してある。尚、図示はしていないが、他の２つの摺動体も摺動体９、１０と同様に、スプリング支持部８と、各々の摺動体間には、コイルスプリングが配置し、筆記体及び摺動体を後方に付勢してある。
【００２４】
後軸３の後部、且つ後軸３の摺動溝３Ｂ、３Ｃ間には、クリップ台３Ｅを設けてあり、このクリップ台３Ｅにクリップ片を付設して、後軸３にクリップ７を固設してある。また、クリップ台３Ｅの後部にはヒンジ部３Ｆを形成してあり、このヒンジ部３Ｆに、ポリプロピレンからなる蓋体５の蓋部５Ａの一端部に設けた、クリップ７を正面から見て左右に延出する嵌合部５Ｇを嵌合して、蓋体５を回動自在に嵌合してあり、蓋体５を回動することで、後軸３の後端３Ａを露出することができる。
【００２５】
また、蓋体５は、蓋部５Ａと、押釦部５Ｃ、コイルスプリングからなる弾発体５Ｅと、バネ受け部５Ｆと、を具備している。具体的には、押釦部５Ｃは、蓋部５Ａ内及びバネ受け部５Ｆに対し径方向に移動可能、且つ蓋部５Ａのバネ受け部５Ｆに配した弾発体５Ｅ（コイルスプリング）によって、常時、径方向外方に弾発した状態に保持されている。また、押釦部５Ｃは、一部が、蓋部５Ａの窓部から外方に突出した状態に配設してある。また、蓋部５Ａには頭冠６が装着されている。
【００２６】
押釦部５Ｃには係合部５Ｄ、具体的には、内向突起を備えた係合部５Ｄが一体に設けられ、後軸３の後端には、外向突起（押釦部の内向突起と反対方向）を備えた被係合部３Ｄが設けられている。前記した係合部５Ｄと前記被係合部３Ｄとは、蓋体５が閉鎖した際、互いに係合状態にあり、押釦部５Ｃの弾発体５Ｅの付勢力によって、その係合状態は容易に解除されず、蓋部５が開くことはないように構成されている。
【００２７】
前記した係合部５Ｄと前記被係合部３Ｄとは、前記押釦部５Ｃを弾発体５Ｅの付勢力に抗して径方向内方（図４の矢印Ｐ方向）に押圧操作すると、押釦部５Ｃ及び押釦部５Ｃに連動する係合部５Ｄは、径方向に移動し、蓋部５Ａの係合部５Ｄ（内向突起）と、後軸３の被係合部３Ｄ（外向突起）の係合が解除され、さらに蓋体５を回動することで、後軸３の後端３Ａを開口することができる。
【００２８】
筆記体１４のボールペンチップからなるペン先部１６を前軸２の先端開口部２Ａから突出させるには、摺動体９の操作部９Ａを、摺動溝３Ｂに沿って、前軸２の先端開口部２Ａ方向へスライドすることにより、摺動体９に形成した係合突起９Ｂが後軸３内に形成した係止部（図示せず）に係止して、筆記体１４のペン先部１６を前軸の先端開口部２Ａから選択して突出を維持することができる。また、摺動体９には、解除突起９Ｃを設けてある。
【００２９】
筆記体１４のペン先部１６が前軸の先端開口部２Ａから突出を維持した状態で、他の摺動体１０の操作部１０Ａを前軸２の先端開口部２Ａ方向にスライドすることで、摺動体１０の解除突起が、摺動体９の係止を解除し、筆記体１４のペン先部１６を前軸２内に没入させることができる。
【００３０】
また、筆記体１４を交換するには、前述の通り、蓋体５が後軸３の後端３Ａを閉鎖した状態から、押釦部５Ｃを弾発体５Ｆの付勢力に抗して径方向内方に押圧することによって、押釦部５Ｃ及び前記係合部５Ｄを径方向内方に移動（図４の矢印Ｐ方向）させ、押釦部５Ｃの係合部５Ｄと後軸３の被係合部３Ｄとの係合を解除し、さらに、蓋体５を回動させ、後軸３の後端３Ａを露出させる。
【００３１】
蓋体５を回動し、後軸３の後端３Ａが露出すると、摺動溝３Ｂ、３Ｃの後端が開口し、各々の摺動体９、１０（その他図示せず）が、コイルスプリング１２、１３（その他図示せず）の後方付勢により後方外部に突出（図７の矢印Ｑ方向）される。この状態から摺動体９を取り出すことにより、その摺動体９と互いに連結状態にある筆記体１４を後軸３から取り出し、その後、互いに連結状態にある新たな筆記体（図示せず）と新たな摺動体とを後端が開口した摺動溝３Ｂから後軸３内に挿入する。そして、蓋体５を前方に回動させ、その後、蓋体５の係合部５Ｄと後軸３の被係合部３Ｄと係合して、後軸３の後端３Ａを閉鎖する。これにより、筆記体及び摺動体の交換作業が終了するため、ユーザーが好みの筆記体とそれに対応した摺動体を軸筒内に交換可能に収容でき、しかも、筆記体及び摺動体を迅速且つ確実に交換することができる。
【００３２】
本実施例では、便宜上、蓋体を回動し、後軸の後端が露出して、筆記体及び摺動体を交換可能としてあるが、蓋体を回動し、後軸の後端を露出して、鉛芯を充填するなど、蓋体の回動によって後軸の後端が露出する構造であれば特に限定されるものでなく、蓋体を紛失することなく筆記体の交換作業や鉛芯の充填をすることができる。
【００３３】
また、押釦部の形成場所は特に限定されないが、押釦部によって、蓋体と軸筒との係合を解除し、且つ蓋体を回動することを考慮すると、ヒンジ部と軸筒本体の軸線に対して対称側となる位置に形成することが、蓋体を開閉し易く最も好ましい。
【００３４】
また、蓋体の係合部と軸筒の被係合部との係合する方法は、押釦部を外方から押圧して解除できれば、凹凸係合、乗り越し係合や圧入係合など、特に限定されるものではないが、実施形態のような凹凸係合とすることが最も好ましい。これは、外れにくさを考慮すると、乗り越し係合とすることが好ましいが、本発明においては、押釦部は弾発体によって、常時、径方向外方に向かって付勢されているため、係合力の低下が発生しないため、凹凸係合とし、繰り返しの係合によって、蓋体の係合部及び軸筒の被係合部の摩耗などによる形状変化を生じさせないためである。また、本実施の形態では、押釦部と係合を一体に設けているが、押釦部と径方向に連動可能であばれ、別体であってもよい。
【００３５】
尚、押釦部を押圧する弾発体の弾発力は、押圧する操作性と、不慮の押圧による開口を防止することを考慮すると、２００ｇｆ〜５００ｇｆとすることが好ましい。また、筆記体のペン先を軸筒先端開口部から突出するときに必要な操作体の操作荷重よりも大きくすることで、操作体と誤って押釦部を押圧した場合の蓋体の開口を抑制できるので好ましい。
【産業上の利用可能性】
【００３６】
本発明の筆記具は、単芯や多芯など筆記体の本数やインキの種類に限定されることなく、筆記具として広く実施可能である。
【符号の説明】
【００３７】
１  筆記具
２  前軸
２Ａ  先端開口部
３  後軸
３Ａ  後端
３Ｂ、３Ｃ  摺動溝
３Ｄ  被係合部
５  蓋体
５Ａ  蓋部
５Ｂ  前端
５Ｃ  押釦部
５Ｄ  係合部
５Ｅ  バネ受け部
５Ｆ  弾発体
６  頭冠
７  クリップ
７Ａ  ヒンジ部
８  スプリング支持部
９、１０  摺動体
９Ａ、１０Ａ  操作部
１１  スリーブ
１２、１３  コイルスプリング
１４  筆記体
１５  インキ収容筒
１６  ペン先部
【図１】
0006346009.tif 000002
【図２】
0006346009.tif 000003
【図３】
0006346009.tif 000004
【図４】
0006346009.tif 000005
【図５】
0006346009.tif 000006
【図６】
0006346009.tif 000007
【図７】
0006346009.tif 000008
【図８】
0006346009.tif 000009